(57)【特許請求の範囲】
【請求項１】
臥床者の洗髪時に該臥床者の頭部の下方に配置され、洗髪に使用した湯水の吸収に使用可能な洗髪用吸収パッドであって、
使用時に臥床者の頭部から相対的に近い位置に配される液透過性の表面シートと、該頭部から相対的に遠い位置に配される液難透過性の裏面シートと、両シート間に配置される吸収体とを具備する吸収性本体を備え、該吸収性本体は、臥床者の身長方向に対応する縦方向と、該身長方向に直交する方向に対応する横方向とを有し、
前記表面シート及び前記裏面シートは、それぞれ、前記吸収体の周縁から外方に延出する延出部を有し、両シートの該延出部どうしは、剥離強度８Ｎ／５ｃｍ以上の強接合部を介して互いに接合されており、
前記吸収体は、親水性繊維及び吸水性ポリマーを含む吸収性コアを含んでおり、該吸収性コアの坪量が２５０ｇ／ｍ２以上であり、
前記吸収性コアにおける前記吸水性ポリマーの含有量が、該吸収性コアの全質量に対して１０質量％以上７０質量％以下であり、該吸水性ポリマーの脱イオン水に対する遠心保持量が２００ｇ／ｇ以上であり、
前記洗髪用吸収パッドは、脱イオン水に対する遠心保持量が２０００ｇ以上である、
洗髪用吸収パッド。
【請求項２】
前記吸収性本体の前記縦方向の両端部に、使用時に上方に向かって起立する一対の防漏カフが前記横方向に延びるように配されており、
前記防漏カフは、前記表面シート及び前記裏面シートそれぞれの前記延出部の積層構造体が、該表面シート側に折り曲げられて形成されている請求項１に記載の洗髪用吸収パッド。
【請求項３】
前記洗髪用吸収パッドの前記横方向両端部に、平面視線状の前記強接合部が前記縦方向に延びるように形成されている請求項１又は２に記載の洗髪用吸収パッド。
【請求項４】
平面視線状の前記強接合部は前記横方向に間欠配置されている請求項３に記載の洗髪用吸収パッド。
【請求項５】
前記吸収性本体の前記縦方向の両端部に、使用時に上方に向かって起立する一対の防漏カフが前記横方向に延びるように配されており、
前記防漏カフは、前記吸収性本体から近い順に、基壁部と弾性伸縮部とを含んで構成され、該基壁部は上端側が下端側よりも該吸収性本体の前記縦方向中央から近い位置に配され、該弾性伸縮部は該基壁部の上端部に連接され、該基壁部の上端部よりも該吸収性本体の前記縦方向中央から遠い位置に配される自由端部を有し且つ前記横方向に伸縮性を有する請求項１〜４の何れか１項に記載の洗髪用吸収パッド。
【請求項６】
前記横方向の長さが前記縦方向の長さの２倍以上である請求項１〜５の何れか１項に記載の洗髪用吸収パッド。
【請求項７】
請求項１〜６の何れか１項に記載の洗髪用吸収パッドからなる主パッドと、該主パッドに重ねて使用可能な補助パッドとを有する洗髪用吸収パッドセットであって、
前記補助パッドは、液透過性の第１のシートと、液透過性又は液難透過性の第２のシートと、両シート間に配置された補助吸収体とを具備する洗髪用吸収パッドセット。
【請求項８】
前記補助パッドの端部が前記主パッドの前記縦方向又は前記横方向の端部に接合されて、両パッドが一体となっている請求項７に記載の洗髪用吸収パッドセット。
【請求項９】
展開状態において、前記補助パッドは、前記主パッドに比して平面視における面積が小さい請求項７又は８に記載の洗髪用吸収パッドセット。
【発明の詳細な説明】
【技術分野】
【０００１】
本発明は、介護者などが臥床者の洗髪をその臥床状態のまま実施する際に、洗髪に使用した湯水の吸収に使用可能な洗髪補助具に関する。
【背景技術】
【０００２】
病院や介護施設などでは、ベッドや布団で臥床状態のまま自分で体を思うように動かせない患者や被介護者などの臥床者に対して、定期的に洗髪が行われる。臥床者の洗髪は、頭髪が清潔に保たれるという衛生面のみならず、臥床者の心身をリラックスさせる効果も期待でき、重要な患者ケアの１つと考えられている。従来、臥床者の洗髪には、洗髪による寝床の濡れや汚れを防止する目的で、吸水性の使い捨ておむつが使用される場合がある。即ち、使い捨ておむつを適当な形状、大きさにカットしたものを、臥床者の頭部の下方に敷いて洗髪を行うという方法であるが、本来尿などの排泄物の吸収に使用されるおむつを頭部にあてがうということが、臥床者にとっては大きなストレス要因となり得、また、敷物として使用されるおむつは、洗髪用途を考慮したものではないため洗髪において使い勝手が良いとは言い難く、作業性の点でも改善の余地がある。
【０００３】
臥床者の洗髪専用道具としては従来、ケリーパッド（登録商標）と呼ばれるゴム製の洗髪具、あるいはこのケリーパッドと同様の構成の自作の洗髪具が使用されている。ケリーパッドは、臥床者の頭部が載せられるパッドと、該パッドに連接された排水路とを備え、使用時には、該パッドを臥床者の頭部の下方に配置し、該排水路の一端を臥床者よりも下方位置、例えば臥床者が寝ているベッドの下に配置したバケツの中に配置し、その状態で臥床者の頭部上方より頭髪に向けて湯水を流しながら洗髪を実施する。斯かる洗髪方法によれば、洗髪に使用した湯水は排水路を通ってベッドの下のバケツに溜まるので、ベッドや布団を濡らさずに洗髪を行うことができる。しかしながら斯かる洗髪方法は、準備や後片付けが面倒であり、また水漏れの心配があるなど、改善の余地がある。
【０００４】
臥床者の洗髪方法の改良技術に関し、例えば特許文献１には、洗髪時に臥床者の頭部が載せられるパッド本体を高分子吸収体から構成し、洗髪時に使用する湯水を該パッド本体自体で吸収し得るようにすることで、ケリーパッドでは必須となっている排水路を不要とした臥床者洗髪用使い捨て水吸収パッドが記載されている。特許文献１には、パッド本体の周縁に水漏れ防止壁を設けることも記載されている。
【０００５】
また特許文献２には、平面視帯状且つ弧状の紙おむつ素材から構成され、且つその湾曲方向にシャンプー用部、すすぎ用部及び後頭部の水分吸収用部の３区分に区画された構成のシャンプーシートが記載されている。このシャンプーシートは、洗髪におけるシャンプー工程、すすぎ工程及び水分拭き取り工程の各工程において、該シャンプーシートにおける各工程に対応する区分が臥床者の頭部の下方に位置するように該シャンプーシートを逐次移動させて使用され、また使用後には、該シャンプーシートを丸めた状態にして廃棄可能になされている。
【先行技術文献】
【特許文献】
【０００６】
【特許文献１】特開２００６−５８０号公報
【特許文献２】実用新案登録第３１３１３０３号公報
【発明の概要】
【発明が解決しようとする課題】
【０００７】
特許文献１及び２に記載の如き、吸水性ポリマーを含む吸収体とこれを内包する袋状の包材とを具備する従来の洗髪用吸収パッドは、使い捨ておむつなどの排泄物吸収用パッドの基本構成を略そのまま具備する形態であるため、数リットルに及ぶ比較的大量の湯水を使用する洗髪用途では不都合が生じやすい。特に、シャンプー後のすすぎでは大量の湯水が使用され、その使用後の湯水を吸収体が吸収することで大きく膨潤するところ、その吸収体の膨潤によって包材の周縁のシール部が剥がれてしまい、包材の中から吸収体材料が漏れ出してベッドや床などを汚すという問題があった。また、このような吸収体の膨潤に起因する問題に対応すべく、吸収体の吸収容量を意図的に低下させて吸収体の吸収による膨潤度を抑えた設計とした場合には、洗髪における湯水の使用量を抑えなければならなくなるため、シャンプー後のすすぎが不十分となる、吸収体で吸収しきれなかった湯水が周囲に溢れ出すなどの不都合が生じるおそれがある。
【０００８】
従って本発明は、洗髪用途に十分に対応し得る水分吸収性能を有し、周囲を汚すことなく、臥床者の洗髪を簡便に行うことができる洗髪用吸収パッド及び洗髪用吸収パッドセットを提供することに関する。
【課題を解決するための手段】
【０００９】
本発明は、臥床者の洗髪時に該臥床者の頭部の下方に配置され、洗髪に使用した湯水の吸収に使用可能な洗髪用吸収パッドであって、使用時に臥床者の頭部から相対的に近い位置に配される液透過性の表面シートと、該頭部から相対的に遠い位置に配される液難透過性の裏面シートと、両シート間に配置される吸収体とを具備する吸収性本体を備え、該吸収性本体は、臥床者の身長方向に対応する縦方向と、該身長方向に直交する方向に対応する横方向とを有し、前記表面シート及び前記裏面シートは、それぞれ、前記吸収体の周縁から外方に延出する延出部を有し、両シートの該延出部どうしは、剥離強度８Ｎ／５ｃｍ以上の強接合部を介して互いに接合されている洗髪用吸収パッドを提供するものである。
【００１０】
また本発明は、前記の洗髪用吸収パッドからなる主パッドと、該主パッドに重ねて使用可能な補助パッドとを有する洗髪用吸収パッドセットであって、前記補助パッドは、液透過性の第１のシートと、液透過性又は液難透過性の第２のシートと、両シート間に配置された補助吸収体とを具備する洗髪用吸収パッドセットを提供するものである。
【発明の効果】
【００１１】
本発明によれば、洗髪用途に十分に対応し得る水分吸収性能を有し、周囲を汚すことなく、臥床者の洗髪を簡便に行うことができる洗髪用吸収パッド及び洗髪用吸収パッドセットが提供される。
【図面の簡単な説明】
【００１２】
【図１】図１は、本発明の洗髪用吸収パッドの一実施形態の上面側即ち表面シート側を模式的に示す平面図であり、各部の弾性部材を伸張させて平面状に拡げた展開状態における平面図である。
【図２】図２は、図１のＩ−Ｉ線断面を模式的に示す断面図である。
【図３】図３は、図１に示す洗髪用吸収パッドの折り曲げ部（防漏カフ）を展開した状態を模式的に示す上面図である。
【図４】図４は、図１に示す洗髪用吸収パッドの使用状態の説明図である。
【図５】図５は、本発明の洗髪用吸収パッドセットの一実施形態の上面を模式的に示す平面図であり、該吸収パッドセットの補助パッド展開形態での、各部の弾性部材を伸張させて平面状に拡げた展開状態における平面図である。
【図６】図６は、図５のＩＩ−ＩＩ線断面を模式的に示す断面図である。
【図７】図７は、図５に示す洗髪用吸収パッドセットの補助パッド収納形態での図６相当図である。
【図８】図８は、本発明の洗髪用吸収パッドのより好ましい具体的形態に係る（ａ）正面図及び（ｂ）右側面図である。
【図９】図９は、図８に示す洗髪用吸収パッドの（ａ）平面図及び（ｂ）底面図である。
【図１０】図１０は、図８に示す洗髪用吸収パッドの斜視図である。
【図１１】図１１（ａ）は、図８（ａ）のＡ-Ａ線断面図であり、図１１（ｂ）は、図８（ａ）のＡ-Ａ線拡大断面図である。
【図１２】図１２は、図８に示す洗髪用吸収パッドを、その弾性部材を伸長させて平面状に拡げた状態を示す（ａ）正面図、（ｂ）右側面図及び（ｃ）平面図である。
【図１３】図１３は、図１２に示す洗髪用吸収パッドの（ａ）底面図及び（ｂ）斜視図である。
【発明を実施するための形態】
【００１３】
以下、本発明の洗髪用吸収パッドをその好ましい実施形態に基づき図面を参照して説明する。図１〜図４には、本発明の洗髪用吸収パッドの一実施形態である吸収パッド１が示されている。本実施形態の吸収パッド１は、図４に示すように、符号１００で示す臥床者の洗髪時に、符号１０１で示す臥床者（洗髪対象者）の頭部１０１の下方に配置され、洗髪に使用した湯水の吸収に使用可能な洗髪補助具であり、吸収性物品の一種である。本発明でいう「臥床者」とは、ベッドや床に敷かれた布団などの寝床で安静にしている状態の人を意味し、この「安静にしている状態」には、寝床に全身を横たえた状態、寝床で上半身だけ起こした状態などが含まれる。
【００１４】
本実施形態の吸収パッド１は、図１及び図２に示すように、使用時に洗髪対象者たる臥床者の頭部から相対的に近い位置に配される液透過性の表面シート２と、該頭部から相対的に遠い位置に配される液難透過性の裏面シート３と、両シート２，３間に配置された吸収体４とを具備する吸収性本体５を備えている。吸収性本体５は、洗髪対象者たる臥床者の身長方向に対応する縦方向Ｘと、該身長方向に直交する左右方向に対応する横方向Ｙとを有している。
【００１５】
本実施形態において吸収性本体５は、図１に示す如き平面視において横方向Ｙに長い矩形形状をなし、吸収性本体５の長手方向は横方向Ｙ即ち洗髪対象者たる臥床者の左右方向に一致し、吸収性本体５の短手方向は縦方向Ｘに一致する。また吸収体４も、吸収性本体５よりは面積が小さいものの、平面視において横方向Ｙに長い矩形形状をなし、吸収体４の長手方向が吸収性本体５の長手方向に一致している。表面シート２は、吸収性本体５の上面即ち使用時に洗髪対象者の頭部側に向けられる面を形成し、裏面シート３は、吸収性本体５の下面即ち使用時に洗髪対象者の頭部側に向けられる面とは反対側の面を形成する。
【００１６】
図３には、吸収パッド１の折り曲げ部（防漏カフ６）を展開した状態が示されている。図３に示すように、表面シート２及び裏面シート３は、平面視において互いに同サイズの同形状（矩形形状）をなしており、それぞれ、吸収体４よりも面積が大きく、吸収体４の周縁４Ｅから外方に延出する延出部を有している。より具体的には、表面シート２は、吸収体４の上面（使用時に洗髪対象者の頭部側に向けられる面）の全域を被覆し、さらに吸収体４の周縁４Ｅの全体から外方に延出し、また裏面シート３は、吸収体４の下面（使用時に洗髪対象者の頭部側に向けられる面とは反対側の面）の全域を被覆し、さらに吸収体４の周縁４Ｅの全体から外方に延出しており、これら両シート２，３の周縁４Ｅからの延出部どうしが、互いに接合され一体化されてフラップ部５Ｆが形成されている。このような吸収体４の周縁４Ｅからの延出部たるフラップ部５Ｆは、吸収体４の周縁４Ｅに沿って配され、吸収体４を包囲している。表面シート２及び裏面シート３それぞれと吸収体４との間は接着剤によって接合されていても良い。
【００１７】
本実施形態の吸収パッド１においては、吸収性本体５の縦方向Ｘの両端部に、使用時に上方即ち洗髪対象者の頭部側に向かって起立する一対の防漏カフ６，６が横方向Ｙに延びるように配されている。各防漏カフ６は、吸収パッド１の横方向Ｙの全長にわたって連続している。各防漏カフ６は、図２に示すように、吸収性本体５から近い順に、吸収パッド１の自然状態又は使用状態において上端側が下端側よりも吸収性本体５の縦方向中央５Ｃｘから近い位置に配される基壁部６０と、該基壁部６０の上端部６０ａに連接され、自然状態又は使用状態において該基壁部６０の上端部６０ａよりも吸収性本体５の縦方向中央５Ｃｘから遠い位置に配される自由端部６１ａを有し且つ横方向Ｙに伸縮性を有する弾性伸縮部６１とを含んで構成されている。斯かる構成の防漏カフ６は、吸収パッド１の自然状態即ち外力がかかっていない状態において、図２に示す如き縦方向Ｘに沿う断面視においてＺ字状をなす。
【００１８】
各防漏カフ６（基壁部６０及び弾性伸縮部６１）は、図３に示すように、フラップ部５Ｆにおける吸収体４に沿って横方向Ｙに延びる帯状部分５Ｆｙ、即ち表面シート２と裏面シート３との吸収体４からの延出部の積層構造体が、吸収体４の縦方向Ｘの外方に位置して横方向Ｙに延びる２本の折曲線６５，６６にて、上面側即ち表面シート２側に折り曲げられて形成されており、フラップ部５Ｆの折り畳み構造を含む。フラップ部５Ｆの帯状部分５Ｆｙは、相対的に吸収体４から近い第１折曲線６５にて表面シート２側に折り曲げられ、さらに相対的に吸収体４から遠い第２折曲線６６にて縦方向Ｘの外方に折り返されており、帯状部分５Ｆｙにおける第１折曲線６５と第２折曲線６６とに挟まれた部分が防漏カフ６の基壁部６０、帯状部分５Ｆｙにおける第２折曲線６６より縦方向Ｘの外方に位置する部分が防漏カフ６の弾性伸縮部６１である。防漏カフ６は、液難透過性の裏面シート３が表面シート２側（吸収性本体５の上面側）に巻き上げられた部分であるということができる。
【００１９】
弾性伸縮部６１には、糸状の弾性部材６２が横方向Ｙに伸長状態で固定されており、これにより弾性伸縮部６１の横方向Ｙの両端部間（後述する弾性伸縮部固定部６３，６３間）が横方向Ｙに伸縮性を有している。弾性伸縮部６１に配される弾性部材６２の数は１本でも良いが、本実施形態のように、複数本好ましくは３〜１４本、さらに好ましくは４〜１２本が縦方向Ｘ（弾性伸縮部６１の幅方向）に間欠配置されていると、弾性伸縮部６１が図１及び図２に示すように面状をなし、この面状部分が洗髪対象者の肌に肌触りよく当接し得るため好ましい。
【００２０】
糸状の弾性部材６２の繊度は、６２０〜１２４０ｄｔｅｘが好ましく、糸状の弾性部材６２の伸張倍率（自然長に対する伸張後の長さの比）は、弾性部材６２の繊度や本数にもよるが１．４〜３．０倍、好ましくは１．５〜２．５倍であることが、洗髪対象者の肌に肌触りよく当接し得るため好ましい。また、断面が略円形状の糸状の弾性部材６２に変えて、断面が扁平な平ゴムを使用することもできる。
【００２１】
各防漏カフ６においては、横方向Ｙの両端部を除く部分、より具体的には吸収パッド１の自然状態において吸収体４と横方向Ｙにおいて同位置に存する部分は、弾性伸縮部６１は他の部材に接合されていないが、横方向Ｙの両端部においては、弾性伸縮部６１を含む、フラップ部５Ｆの折り畳み構造を構成する各層が互いに接合されて弾性伸縮部固定部６３が形成されている。つまり、平面視矩形形状の吸収パッド１の四隅に弾性伸縮部固定部６３が形成されている。このように、長手方向（横方向Ｙ）に伸縮性を有する弾性伸縮部６１の両端部が他の部材（基壁部６０）に固定されて弾性伸縮部固定部６３が形成されていることにより、吸収パッド１の自然状態において、その両固定部６３，６３間で非固定の弾性伸縮部６１が横方向Ｙに収縮し、それによって防漏カフ６が上方に向かって起立し、それに伴って吸収パッド１は上面側即ち表面シート２側に凹状に湾曲する。
【００２２】
本実施形態の吸収パッド１の主たる特徴の１つとして、表面シート２と裏面シート３との吸収体４の周縁４Ｅからの延出部どうし、即ちフラップ部５Ｆにおける両シート２，３どうしが、剥離強度８Ｎ／５ｃｍ以上、好ましくは９Ｎ／５ｃｍ以上、さらに好ましくは１０Ｎ／５ｃｍ以上の強接合部を介して互いに接合されている点が挙げられる。ここでいう「剥離強度」は、フラップ部５Ｆにおける両シート２，３を、相対的に吸収体４から近い側から相対的に吸収体４から遠い側に向かう方向（両シート２，３の吸収体４の周縁４Ｅからの延出方向。フラップ部５Ｆの長手方向と直交する幅方向。）に剥離したときの剥離強度を意味する。本実施形態の吸収パッド１における強接合部は、図３中符号７で示す平面連続視直線状の部分であり、吸収体４の周縁４Ｅに沿ってこれを包囲するように形成され、縦方向Ｘに延びる部分と横方向Ｙに延びる部分とを含んでいる。
【００２３】
フラップ部５Ｆの強接合部７の剥離強度は、８Ｎ／５ｃｍ以上であることを前提として、フラップ部５Ｆ全体で均一でも良く、部分的に異なっていても良い。後者の一例として、フラップ部５Ｆにおける横方向Ｙに延びる部分（帯状部分５Ｆｙ）と縦方向Ｘに延びる部分とで強接合部７の剥離強度が互いに異なる形態が挙げられ、さらに詳しくは、帯状部分５Ｆｙの強接合部７の剥離強度（即ち帯状部分５Ｆｙの縦方向の剥離強度）が８Ｎ／５ｃｍ以上、好ましくは９Ｎ／５ｃｍ以上、さらに好ましくは１０Ｎ／５ｃｍ以上であり、且つフラップ部５Ｆにおける縦方向Ｘに延びる部分（帯状部分５Ｆｙ以外の部分）の強接合部７の剥離強度（即ち該部分の幅方向の剥離強度）が１０Ｎ／５ｃｍ以上、好ましくは１１Ｎ／５ｃｍ以上、さらに好ましくは１２Ｎ／５ｃｍ以上である形態が挙げられる。剥離強度は下記方法により測定される。
【００２４】
＜剥離強度の測定方法＞
吸収パッドにおける、表面シートと裏面シートとの吸収体の周縁からの延出部（フラップ部）から、その延出方向に延びる２辺を有する平面視矩形形状ないし正方形形状を切り出して測定サンプルとし、テンシロン引張試験機を用いてその測定サンプルを該延出方向に剥離し、その際の引張強さの最大値を測定する。
吸収パッド１を例にとってより具体的に説明すると、フラップ部５Ｆにおける縦方向Ｘに延びる部分（帯状部分５Ｆｙ以外の部分）の剥離強度を測定する場合には、該部分を横方向Ｙに横断しさらに吸収体４の周縁４Ｅから吸収体４の内方に２０ｍｍにわたる直線を一辺（長辺）とし且つ該一片に直交して縦方向Ｘに延びる他の一辺（短辺）の長さが５０ｍｍである、平面視矩形形状ないし正方形形状を切り出して測定サンプルとする。この測定サンプルの横方向Ｙの両端（長手方向両端）のうち、吸収体４の一部（周縁４Ｅから２０ｍｍにわたる吸収体４の周縁部）が存する側の端から横方向Ｙに２０ｍｍにわたる部分における２枚のシート即ち表面シート２及び裏面シート３を、それぞれそれらが重なっている吸収体４から手指で剥離し、その剥離された２枚のシート２，３の端部を、テンシロン引張試験機（例えば、株式会社オリエンテック製、商品名「ＲＴＡ−１００」）のチャック間にセットする。そして、剥離速度３００ｍｍ／ｍｉｎで、測定サンプルにおいて互いに接合されている２枚のシートを１８０°方向即ち前記延出方向である吸収パッド１における横方向Ｙに引き剥がし、その際の引張強さの最大値（材料破壊が起きた場合はその直前の引張強さ）を測定し、その測定値を当該測定対象部位（フラップ部５Ｆにおける縦方向Ｘに延びる部分）の剥離強度とする。測定は６回行い（ｎ＝６）、平均値を測定値とする。測定は、気温２０℃、６５％ＲＨの環境下で行う。
また、フラップ部５Ｆにおける横方向Ｙに延びる部分（帯状部分５Ｆｙ）の剥離強度を測定する場合には、帯状部分５Ｆｙにおける基壁部６０（弾性部材６２の非配置部分）を縦方向Ｘに縦断しさらに吸収体４の周縁４Ｅから吸収体４の内方に２０ｍｍにわたる直線を一辺（長辺）とし且つ該一片に直交して横方向Ｙに延びる他の一辺（短辺）の長さが５０ｍｍである、平面視矩形形状ないし正方形形状を切り出して測定サンプルとし、この測定サンプルについて、前記の帯状部分５Ｆｙ以外の部分の剥離強度と同様の方法で、前記延出方向である吸収パッド１における縦方向Ｘに引き剥がした際の剥離強度を測定する。
【００２５】
前述した、フラップ部５Ｆの剥離強度８Ｎ／５ｃｍ以上というのは、吸収パッド１と同様の基本構成を有する使い捨ておむつなどの通常の排泄物吸収用パッドにおけるフラップ部相当部の剥離強度に比して、格段に大きい数値である（通常の排泄物吸収用パッドにおけるフラップ部５Ｆ相当部分の剥離強度は６Ｎ／５ｃｍ程度）。即ち吸収パッド１においては、吸収体４の外方位置にて吸収体４を内包する包材たる両シート２，３どうしが、通常の排泄物吸収用パッドにおけるよりも強力に接合されている。剥離強度の調整は、両シート２，３の接合部を形成する接着剤やヒートシール、エンボスシール、超音波シールなどの接合手段の種類、該接合手段が接着剤の場合はその塗布量、接合部の配置パターンなどを適宜調整することで実施し得る。具体的には、接着剤の場合であれば、排泄物吸収用パッドにおいては塗布の坪量を０．５〜３ｇ／ｍ２であったものを、本発明の吸収パッドにおいては５、１０、１５、２０ｇ／ｍ２と増やしたり、塗布手段として面積率を高めたり、接着剤の線径を太くすることで剥離強度を高める。また塗布面となる材料の接着性を高めるための処理（例えばコロナ処理等の表面処理）を行うことも可能である。素材を硬くせず、コストを抑える観点から、剥離強度を満たす範囲で接着剤の量を抑えることが好ましい。ヒートシール、超音波シールなど剥離強度に対し融着面積の影響が大きい場合には、その面積率を増やしていくことで、剥離強度を高めることができる。素材を硬くせず、強度を担保する観点から、所望のシールパターンを採用することができる。これらの接合手段を複合的に用いることでも、さらに強度を高めることができる。
【００２６】
フラップ部５Ｆの強接合部７を形成する接着剤としては、ホットメルト接着剤を用いることができる。前記強接合部における両シート２，３の接着性の観点から特に好ましいホットメルト接着剤としては、スチレン−ブタジエン−スチレン系（ＳＢＳ系）、スチレン−イソブチレン−スチレン系（ＳＩＳ系）、スチレン−エチレン−ブチレン−スチレン系（ＳＥＢＳ系）等のスチレン・エラストマー系ホットメルト接着剤；ポリオレフィン系ホットメルトが挙げられ、これらの１種を単独で又は２種以上を組み合わせて用いることができる。
また、強接合部７における接着剤の塗布量は、十分な接着力の確保と、塗布されたホットメルト接着剤のしみ出し防止、即ち塗布されたホットメルト接着剤が表面シート２側に抜け出る不都合の防止とを両立する観点から、好ましくは５〜５０ｇ／ｍ２、さらに好ましくは１０〜４５ｇ／ｍ２である。
また、強接合部７の配置パターンは、特に制限されないが例えば、スパイラルスプレー、スロットスプレー、スロットコーター、ビード等の塗布パターン及び、それらを組み合わせた塗布パターンを用いることができる。
【００２７】
前述したように、吸収体４を内包する包材としての役割を果たす両シート２，３どうしを、吸収体４の外方位置にて剥離強度８Ｎ／５ｃｍ以上という強力な剥離強度を有するように接合することで、吸収体４が洗髪で使用された大量の湯水を吸収して大きく膨潤しても、その吸収体４の膨潤によっては両シート２，３の接合部が破壊され難くなる。例えば、剥離強度８Ｎ／５ｃｍ以上で吸収体４の縦方向Ｘの長さ即ち幅が３０ｃｍあるとすると、その幅３０ｃｍにわたる両シート２，３の接合部を剥離するのに要する剥離力は計算上、該剥離強度の６倍となり４８Ｎ／３０ｃｍ以上になる。つまり脱イオン水２０００ｇを吸収しても吸収体４の幅当たり２．４倍の剥離強度があることになる（２０００ｇの脱イオン水を吸収した吸収体４を具備する吸収パッド１を、横方向Ｙの両端部即ち縦方向Ｘに延びる両端部のうちの一方側の端部で固定して吊り下げた場合に、該一方側とは反対側に位置する吸収パッド１の他方側の端部における吸収体４に対応する部分に、その２０００ｇの荷重が均一に掛かると仮定すると、吸収体４の縦方向Ｘの長さ即ち幅が３０ｃｍであれば、２０００ｇの荷重を長さ３０ｃｍの吸収パッド１の他方側の端部で下方から支持することになり、このとき該他方側の端部には１９．６Ｎ／３０ｃｍの荷重がかかることになるところ、該他方側の端部におけるシート２，３の剥離強度が５ｃｍ当たり８Ｎであるので、長さ３０ｃｍの該他方側の端部を剥離するにはその６倍の４８Ｎ／３０ｃｍの剥離力が必要であり、これは吸収体４の幅当たり４８／１９．６=２．４倍の剥離強度に相当する。）。従って斯かる構成により、吸収パッド１の使用中又は使用後における両シート２，３の破れが効果的に防止され、吸収性本体５から吸水性ポリマーなどの吸収体材料が漏れ出して周辺のベッドや床などを汚すなどの不都合の発生が防止される。また斯かる効果の発現に付随して、吸収体４の膨潤に起因するシート２，３の破れに配慮する必要が無くなるため、吸収体４に洗髪用途に耐え得る高い吸収性能を付与することが可能となる。そして、そのような高い吸収性能を有する吸収パッド１は、洗髪用途に十分に対応し得る水分吸収性能を有するため、その使用時にはシャンプー後のすすぎを十分に行うことができ、吸収パッド１の周囲を汚さずに臥床者の洗髪を簡便に行うことができる。
【００２８】
表面シート２と裏面シート３との吸収体４からの延出部の積層構造体たるフラップ部５Ｆにおいては、両シート２，３の重ね合わせ部分の全域が、剥離強度８Ｎ／５ｃｍ以上の強接合部であっても良いが、図３に符号７で示す強接合部の如く、該重ね合わせ部分の一部にのみ強接合部が配されていても前記作用効果を奏し得る。また、このフラップ部５Ｆの両シート２，３の重ね合わせ部分には、強接合部に加えてさらに、強接合部よりも両シート２，３の剥離強度が低い弱接合部が形成されていても良い。この弱接合部のパターンは特に制限されず、例えば図３に示す形態において、フラップ部５Ｆの両シート２，３の重ね合わせ部分における強接合部７の非配置領域の全域が弱接合部であっても良い。このように、フラップ部５Ｆの両シート２，３の重ね合わせ部分における強接合部７の配置を、当該部分の全域ではなく部分的なものに限定することで、接着剤などの接合手段の使用量の低減が図られる。また後述するように、強接合部７の部分的な配置パターンとして、例えば図３に示す吸収パッド１の横方向Ｙの両端部の如く、「平面視線状の強接合部７がその延びる方向と直交する方向に間欠配置されたパターン」を採用した場合には、強接合部７の延びる方向と直交する方向における液の拡散が抑制されるため、洗髪に使用した湯水による濡れに起因する吸収パッド１の強度低下を効果的に抑制し得る。
【００２９】
本実施形態の吸収パッド１においては図３に示すように、強接合部７は平面連続視直線状をなし、吸収体４の周縁４Ｅに沿ってこれを包囲するように形成されている。強接合部７に期待される役割を考慮すると、平面視線状の強接合部７が吸収体４の近傍を吸収体４に沿って延びるように配されていることが好ましく、また、該強接合部７の長手方向長さは、該強接合部７の近傍の吸収体４の縁部の長さと同じかそれよりも長いことが好ましい。ここでいう「線状」は、直線及び曲線の両方を含み、連続線でも破線でも良い。特に好ましいのは、線状の強接合部７が吸収体４を包囲する形態であり、吸収パッド１では斯かる好ましい形態が採用されている。
【００３０】
また吸収パッド１においては、縦方向Ｘと横方向Ｙとで線状の強接合部７の数が異なっている。即ち図３に示すように、吸収パッド１の横方向Ｙに沿う両端部には直線状の強接合部７が１本だけ配されているのに対し、吸収パッド１の縦方向Ｘに沿う両側部には直線状の強接合部７が３本配されており、後者の方が線状の強接合部７の数が多い。本実施形態においてこのような強接合部７の偏在形態を採用した理由は、洗髪時における湿潤状態のなりやすさが、吸収パッド１の縦方向Ｘに沿う両側部と横方向Ｙに沿う両端部とで異なるためである。即ち、吸収パッド１の横方向Ｙに沿う両端部には、洗髪に使用した湯水の外部への漏れ出しを防止する防漏カフ６が配されており、しかも本実施形態においては前述した通り、防漏カフ６が液難透過性の裏面シート３の巻き上げ部であり、防漏カフ６の外面（表面シート２と接触し得る面とは反対側の面）が湯水を透過し難いシートで形成されているため、吸収パッド１の横方向Ｙに沿う両端部は、洗髪時に比較的湿潤状態になりにくく、それ故シート２，３の破れが比較的起こりにくいのに対し、吸収パッド１の縦方向Ｘに沿う両側部は、防漏カフ６が配されていないため、洗髪時に比較的湿潤状態になりやすく、それ故シート２，３の破れが比較的起こりやすい。そこで、比較的湿潤状態になりやすい吸収パッド１の縦方向Ｘに沿う両側部には、吸収パッド１の横方向Ｙに沿う両端部よりも多くの線状の強接合部７が配されている。
【００３１】
また図３に示すように、吸収パッド１の横方向Ｙの両端部即ち縦方向Ｘに沿う両側部においては、縦方向Ｘに延びる複数（図３では３本）の平面視線状の強接合部７が横方向Ｙに間欠配置されている。このように、吸収パッド１の内方から外方にかけて、具体的には例えば横方向Ｙに、線状の強接合部７が間欠配置されていることにより、その複数の強接合部７それぞれが、洗髪に使用された湯水の面方向の移行を妨げる堤防のような働きをするため、湯水の面方向の拡散がより効果的に抑制され、さらに、洗髪に使用した湯水による濡れに起因する強度低下、吸収パッド１の使用中又は使用後におけるシート２，３の剥がれがより効果的に抑制される。
【００３２】
強接合部７において、表面シート２と裏面シート３との接合手段は特に制限されず、ホットメルト接着剤等の各種接着剤、ヒートシール、超音波シール等の公知の接合手段やこれらの組み合わせを用いることができる。本実施形態における強接合部７の接合手段は接着剤である。
【００３３】
前述した強接合部７による作用効果をより確実に奏させるようにする観点から、各部の寸法等は下記のように設定することが好ましい。
１本の線状の強接合部７の幅（強接合部７の長さ方向と直交する方向の長さ）は、好ましくは１ｍｍ以上、さらに好ましくは２ｍｍ以上、より好ましくは３ｍｍ以上、そして、好ましくは５０ｍｍ以下であり、より具体的には、好ましくは２ｍｍ以上５０ｍｍ以下、さらに好ましくは３ｍｍ以上５０ｍｍ以下である。
同方向に延びる複数本の線状の強接合部７の間隔Ｄ（図３参照）は、好ましくは１０ｍｍ以上、さらに好ましくは１５ｍｍ以上、そして、好ましくは５０ｍｍ以下、さらに好ましくは４０ｍｍ以下である。
吸収パッド１の縦方向Ｘに沿う両側部（防漏カフ６が配置されていない吸収パッドの縁部）における線状の強接合部７の数は、好ましくは２本以上、さらに好ましくは３本以上、そして、好ましくは９本以下、さらに好ましくは８本以下である。
【００３４】
本実施形態の吸収パッド１には、前述した通り、吸収性本体５の縦方向Ｘの両端部に、使用時に上方に向かって起立する一対の防漏カフ６，６が横方向Ｙに延びるように配されており、この防漏カフ６の存在によって、洗髪に使用した湯水が吸収パッド１の外部へ漏れ出す不都合が効果的に防止される。特に本実施形態においては、前述した通り防漏カフ６が、縦方向Ｘに沿う断面視においてＺ字状をなす、フラップ部５Ｆの折り畳み構造をなしているため、図４に示すように吸収パッド１の使用時において、防漏カフ６の基壁部６０と表面シート２との間にポケット構造が形成され、このポケット構造によって液の拡散、外部への液の漏れ出しが一層効果的に抑制される。この防漏カフ６のポケット構造による漏れ防止効果をより確実に奏させるようにする観点から、吸収パッド１の自然状態において、基壁部６０の上端部６０ａ即ちフラップ部５Ｆの第１折曲線６５での折り位置の、表面シート２からの高さＨ（図２参照）は、好ましくは１５ｍｍ以上、さらに好ましくは２０ｍｍ以上、そして、好ましくは１００ｍｍ以下、さらに好ましくは８０ｍｍ以下である。
【００３５】
また防漏カフ６は、このような防漏機能のみならず、図４に示すように、洗髪される臥床者１００の後頚部を下方から支持して頭部１０１の位置を安定させる機能も有している。この点、本実施形態における防漏カフ６は、前述の如き断面視Ｚ字状をなしていることなどに起因して弾性伸縮部６１が比較的幅広の構造をとりやすく、臥床者１００の後頚部に隙間なくフィットしやすいため、頭部１０１を安定的に支持し、且つ洗髪に使用した湯水が臥床者１００の後頚部を伝って吸収パッド１の外部に漏れ出す不都合を効果的に防止し得る。
【００３６】
このような防漏カフ６の作用効果を考慮すると、防漏カフ６の好ましい実施形態として下記１）及び２）が挙げられる。
１）吸収パッド１における使用時に洗髪対象者（臥床者）の後頚部に対応する部位に、該洗髪対象者の後頚部に向かって起立する防漏カフ６が配され、該防漏カフ６における該後頚部と接触し得る上部が、該洗髪対象者の左右方向即ち横方向Ｙに伸縮性を有する弾性伸縮部６１である。
２）少なくとも洗髪対象者の後頚部に対応する防漏カフ６の弾性伸縮部６１に、横方向Ｙに延びる複数の弾性部材６２が、洗髪対象者（臥床者）の身長方向即ち縦方向Ｘに間欠配置され、弾性伸縮部６１の自然状態における幅Ｗ１（図１参照）が、好ましくは３０ｍｍ以上、さらに好ましくは４０ｍｍ以上、そして、好ましくは１２０ｍｍ以下、さらに好ましくは１００ｍｍ以下である。
【００３７】
吸収パッド１は、横方向Ｙ即ち洗髪対象者（臥床者）の左右方向の長さが、縦方向Ｘ即ち洗髪対象者（臥床者）の身長方向の長さに対して、１．８倍以上、特に２．０倍以上であることが好ましい。吸収パッド１の平面視形状がこのような、洗髪対象者の左右方向に長い横長の形状をなしていることにより、図４に示す如き吸収パッド１の使用中に、吸収パッド１を左右方向に適宜移動させて、吸収パッド１における洗髪対象者の頭部の下方に位置する部分を適宜変更することが可能となり、それによって例えば、洗髪作業の一連の工程（シャンプー工程、すすぎ工程、水分拭き取り工程など）に応じて、吸収パッド１の各部を使い分けることが可能となり、利便性が一層向上し得る。前記の縦方向Ｘの長さに対する横方向Ｙの長さの比率の上限値については特に制限はないが、吸収パッド１のハンドリング性などを考慮すると、好ましくは４．５倍以下、さらに好ましくは４．０倍以下である。
【００３８】
また吸収パッド１は、吸収性本体５の縦方向中央５Ｃｘを基準として対称に構成されていると、使用するに際しての吸収パッド１の位置決めなどに迷うことが少なくなり利便性が向上するため好ましい。つまり吸収パッド１は、使用時に洗髪対象者（臥床者）の頭頂部よりも縦方向Ｘの外方に配される側（図４の吸収パッド１では左側）と、該洗髪対象者の後頚部に対応する側（図４の吸収パッド１では右側）とで対称に構成されていることが好ましい。また、横方向Ｙ即ち洗髪対象者（臥床者）の左右方向についても、横方向中央を基準として対称に構成されていることが好ましい。
【００３９】
吸収パッド１の自然状態での大きさは特に制限されないが、縦方向Ｘ即ち洗髪対象者（臥床者）の身長方向の長さは、好ましくは３００ｍｍ以上、さらに好ましくは３５０ｍｍ以上、そして、好ましくは７５０ｍｍ以下、さらに好ましくは７００ｍｍ以下であり、横方向Ｙ即ち洗髪対象者（臥床者）の左右方向の長さは、好ましくは８００ｍｍ以上、さらに好ましくは９００ｍｍ以上、そして、好ましくは１５００ｍｍ以下、さらに好ましくは１４００ｍｍ以下である。
また、吸収体４の縦方向Ｘの長さは、好ましくは２８０ｍｍ以上、さらに好ましくは３５０ｍｍ以上、そして、好ましくは７５０ｍｍ以下、さらに好ましくは７００ｍｍ以下であり、横方向Ｙの長さは、好ましくは７４０ｍｍ以上、さらに好ましくは８００ｍｍ以上、そして、好ましくは１３００ｍｍ以下、さらに好ましくは１２００ｍｍ以下である。
また、縦方向Ｘに延びるフラップ部５Ｆの幅Ｗ２（図１参照）は、好ましくは５０ｍｍ以上、さらに好ましくは７５ｍｍ以上、そして、好ましくは２００ｍｍ以下、さらに好ましくは１６０ｍｍ以下である。
【００４０】
吸収パッド１の各部材については、基本的に使い捨ておむつなどの排泄物吸収用物品において従来用いられているものを特に制限なく用いることができる。表面シート２としては、液透過性シートとして例えば、合成繊維又は天然繊維からなる親水性の織布や不織布、多孔性シート、メッシュシート等が挙げられる。裏面シート３としては、液難透過性シートとして例えば、ポリエチレンフィルムやポリプロピレンフィルム等の樹脂製フィルム、撥水不織布等の不織布、不織布と樹脂製フィルムとを熱又は接着剤によってラミネートした複合シート等が挙げられる。ここでいう「液難透過性」には、液の透過を完全に遮断し得る液不透過性と、水蒸気が透過できる程度の透過性を有する性質とが含まれる。裏面シート３の好ましい一例として、使用時に臥床者（洗髪対象者）の頭部から近い順に、樹脂製フィルムと不織布とが順次積層された複合シートが挙げられる。斯かる複合シートは風合いと強度に優れるという特長を有する。
【００４１】
一般に、不織布は繊維が配向する繊維配向方向とそれに直交する直交方向を有しているが、繊維配向方向の方が直交方向よりも引張強度が強い。そのため、吸収パッド１の形成材料（例えば表面シート２、裏面シート３）として不織布を用いる場合には、不織布の繊維配向方向を、吸収パッド１の横方向Ｙ、即ち洗髪対象者たる臥床者の左右方向に一致させることで、材料強度が高くなり、材料破壊を抑えることができる。そのためフラップ部の横方向の強度をさらに高めることができる。
【００４２】
吸収体４としては、吸水性ポリマーを含む吸収性コアを用いることができる。この吸収性コアには親水性繊維を含めることができ、該親水性繊維としては、木材パルプの如き本来的に親水性の繊維の他、本来的に疎水性の繊維に親水化処理を施した繊維を用いることもできる。吸収性コアの典型的なものは、繊維材料の集合体で吸水性ポリマーの小片を含有するものが挙げられる。吸収性コアの坪量は、洗髪用途に十分に対応できる吸収容量を確保する観点から、好ましくは２５０ｇ／ｍ２以上、さらに好ましくは３００ｇ／ｍ２以上、そして、好ましくは９００ｇ／ｍ２以下、さらに好ましくは８００ｇ／ｍ２以下である。尚、吸収性コアの坪量が大きくなって吸収容量が向上すると、その吸収性コアが吸水して膨潤したときにこれを包む表面シートや裏面シートの破れが懸念されるが、この点、吸収パッド１については前述した工夫が施されていることにより、そうした懸念が払拭されており、純粋に吸収性能の向上を追求した設計を採り得る。
【００４３】
吸収体４（吸収性コア）に含まれる吸水性ポリマーとしては、一般に粒子状のものが用いられるが、繊維状のものでも良い。粒子状の吸水性ポリマーを用いる場合、その形状は球状、塊状、俵状又は不定形のいずれでも良い。吸水性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸収体４（吸収性コア）における吸水性ポリマーの含有量は、吸収体４（吸収性コア）の全質量に対して、好ましくは１０質量％以上、さらに好ましくは１５質量％以上、そして、好ましくは７０質量％以下、さらに好ましくは６０質量％以下である。
【００４４】
吸収パッド１の脱イオン水に対する遠心保持量は、好ましくは２０００ｇ以上、さらに好ましくは３０００ｇ以上、特に好ましくは３５００ｇ以上である。また、吸収体４（吸収性コア）に用いる吸水性ポリマーの脱イオン水に対する遠心保持量は、好ましくは２００ｇ／ｇ以上、さらに好ましくは２２５ｇ／ｇ以上、より好ましくは２５０ｇ／ｇ以上である。吸水性ポリマーの遠心保持量は、吸水性ポリマーの吸水量（吸水倍率）に関連する特性であり、遠心保持量の値が大きいほど、吸水性ポリマーの吸水量（吸水倍率）が大きい。脱イオン水に対する遠心保持量が前記範囲にある吸水性ポリマーを使用することで、数リットルもの比較的大量の湯水の吸収が要求される洗髪用途に好適な吸収パッド、即ち脱イオン水に対する遠心保持量が２０００ｇ以上の吸収パッドが得られる。吸収パッド及び吸水性ポリマーそれぞれの遠心保持量は下記方法により測定される。
【００４５】
＜吸収パッドの遠心保持量の測定方法＞
ナイロン製の織布（メッシュ開き２５５、三力製作所販売、品名：ナイロン網、規格：２５０×メッシュ巾１１５０ｍｍ×３０ｍ）を幅５０ｃｍ、長さ１００ｃｍの長方形に切断して長手方向中央で二つ折りにし、その二つ折りした織布の周縁の一部をヒートシールして幅５０ｃｍ（内寸４５ｃｍ）、長さ５０ｃｍのナイロン袋を作製する。このナイロン袋の周縁における未ヒートシール部分は、ナイロン袋内に測定試料（吸収パッド）を入れる際に利用される開き部となる。このナイロン袋に測定試料を封入して遠心保持量の測定を行うが、測定試料のサイズがナイロン袋よりも大きく、測定試料を折り曲げたりせずに自然状態のままでその全体をナイロン袋に収容できない場合は、測定試料を複数に分割（例えば、測定試料である吸収パッドを２〜６等分の大きさに分割）し、その複数の分割測定試料それぞれについて遠心保持量の測定を行う。
より具体的には例えば、ナイロン袋よりもサイズの大きい測定試料である吸収パッドを、幅４０ｃｍ以下長さ４０ｃｍ以下の大きさに分割して切り出し、その複数の分割測定試料をそれぞれ、該分割測定試料における一部と他の一部とが重ならないようにナイロン袋に入れた後、ナイロン袋の開き部をヒートシールする。こうして測定試料（分割測定試料）が封入されたナイロン袋を、２５℃に調温した脱イオン水に浸漬させる。浸漬開始から３０分後にナイロン袋を脱イオン水から取り出し、１時間垂直状態に吊るして水切りした後、遠心脱水器（株式会社コクサン製、型式Ｈ−１３０Ｃ特型）を用いて脱水する。脱水条件は、１４３Ｇ（８００ｒｐｍ）で１０分間とする。脱水後、試料の重量を測定し、次式に従って目的とする遠心保持量を算出する。
遠心保持量（ｇ）＝ａ’−ｂ−ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。測定は３回行い（ｎ＝３）、平均値を測定値とする。また、測定は２３±２℃、湿度５０±５％で行い、測定の前に測定試料を同環境で２４時間以上保存した上で測定する。
尚、前記したように、測定試料である吸収パッドを分割した場合は、その複数の分割測定試料それぞれについて前記手順により遠心保持量を測定し、それら複数の遠心保持量の合計値を、当該測定試料である吸収パッドの遠心保持量とする。
【００４６】
＜吸水性ポリマーの遠心保持量の測定方法＞
ナイロン製の織布を幅２０ｃｍ、長さ６０ｃｍの長方形に切断して幅方向中央及び長手方向中央でそれぞれ二つ折りにし、その二つ折りした織布の周縁の一部をヒートシールして幅１０ｃｍ（内寸１６ｃｍ）、長さ３０ｃｍのナイロン袋を作製する。測定試料である吸水性ポリマー１．００ｇを精秤し、作製したナイロン袋の開き部から該袋内に入れた後、該開き部をヒートシールして、吸水性ポリマーを該袋内に封入する。その際、ナイロン袋の平面視において吸水性ポリマーがナイロン袋の内部に均一に分布するように、ナイロン袋に吸水性ポリマーを入れる。以上の点以外は前記＜吸収パッドの遠心保持量の測定方法＞と同様であるが、吸水ポリマーの遠心保持量は、次式に従って算出する。
遠心保持量（ｇ／ｇ）＝（ａ’−ｂ−ｃ）／ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。
【００４７】
吸水性ポリマーの遠心保持量の調整は、例えば、吸水性ポリマーの表面架橋度を調整することによって行うことができる。一般に、吸水性ポリマーの表面架橋度が高くなる（表面架橋処理が進む）と、遠心保持量（吸水倍率）は低くなる傾向がある。具体的には例えば、従来の方法によって製造された表面架橋処理済みの吸水性ポリマーに対して、再度表面架橋処理（後架橋処理）を施すことにより、遠心保持量を前記範囲に調整することが可能である。また、表面架橋を行う、行わないに関わらず、吸水性ポリマー全体の架橋度を高めることでも遠心保持量は調整可能である。
【００４８】
吸収体４は、吸収性コアとこれを被覆するコアラップシートとを含んで構成されていても良い。コアラップシートとしては、表面シート２として使用可能な液透過性シートを用いることができ、典型的には不織布やティッシュペーパーである。特に不織布は、ティシュペーパーに比べて湿潤時の引張強度が強く、ヒートシールや接着剤による接着強度も高くすることができる点から好ましい。コアラップシートで吸収性コアを被覆する場合、吸収性コアの上面（使用時に洗髪対象者の頭部側に向けられる面）を被覆する上面側コアラップシートと、吸収性コアの下面（使用時に洗髪対象者の頭部側に向けられる面とは反対側の面）を被覆する下面側コアラップシートとが一体化されていると、吸収性コアの吸水による膨潤の度合いが抑えられるため、前述した、フラップ部５Ｆの強接合部７における剥離強度を特定範囲にすることによる効果と相俟って、吸収パッド１の使用中又は使用後における表面シート２、裏面シート３の剥がれがより効果的に抑制され得る。ここでいう「上面側コアラップシートと下面側コアラップシートとが一体されている」には、両シートが１枚の連続したシートである形態と、それぞれ本来的に独立した２枚のコアラップシートが接着剤などの接合手段によって互いに接合されて一体化されている形態とが含まれる。また、コアラップシートとこれに隣接する表面シート２又は裏面シート３とが接着剤などの接合手段によって互いに接合されていると、両シート２，３の剥がれがより効果的に抑制され得るため好ましい。特にコアラップシートが吸収パッド１の横方向Ｙに沿って両シート２，３と接合されている形態、即ちコアラップシートと両シート２，３との接合部が平面視において横方向Ｙに延びている形態（例えば、該接合部が平面視において横方向Ｙに延びる線状である形態）は、使用時に洗髪対象者の後頸部側又は頭頂部側での両シート２，３の剥がれがより効果的に抑制され得るため好ましい。
【００４９】
次に、本発明の洗髪用吸収パッドセットについてその好ましい実施形態に基づき図面を参照して説明する。図５〜図７には、本発明の洗髪用吸収パッドセットの一実施形態である洗髪用吸収パッドセット１０が示されている。尚、本発明の洗髪用吸収パッドセットについては、前述した本発明の洗髪用吸収パッドと異なる構成部分を主として説明し、同様の構成部分は同一の符号を付して説明を省略する。特に説明しない構成部分は、前述した本発明の洗髪用吸収パッドについての説明が適宜適用される。
【００５０】
本実施形態の吸収パッドセット１０は、図５〜図７に示すように、主パッド１１と、該主パッド１１に重ねて使用可能な補助パッド１２とを有する。主パッド１１は、前述した洗髪用吸収パッド１からなるものであり、その構成、使用方法等については前述した通りである。一方、補助パッド１２は、主パッド１１を用いて行われる洗髪作業をサポートする役割を担うもので、液透過性の第１のシート１３と、液透過性又は液難透過性の第２のシート１４と、両シート１３，１４間に配置された補助吸収体１５とを具備する。補助パッド１２の基本構成は、主パッド１１即ち前述した吸収パッド１と実質的に同じである。
【００５１】
本実施形態の吸収パッドセット１０においては、その展開状態即ち吸収パッドセット１０の各部の弾性部材を伸張させて平面状に拡げた状態において、補助パッド１２は図５に示すように、主パッド１１に比して平面視における面積が小さく、平面視において主パッド１１よりも小型の四角形形状（正方形形状又は矩形形状）をなしている。さらに言えば、本実施形態における補助パッド１２は、図５に示すように、主パッド１１の吸収体４に比して横方向Ｙの長さが短い。また、補助パッド１２を構成する第１のシート１３及び第２のシート１４は、平面視において互いに同サイズの同形状（四角形形状）をなし、それぞれ、補助吸収体１５よりも面積が大きく、補助吸収体１５の周縁１５Ｅから外方に延出する延出部を有している。両シート１３，１４の補助吸収体１５の周縁１５Ｅからの延出部どうしは、互いに接合され一体化されてフラップ部１６が形成されている。このような補助吸収体１５の周縁１５Ｅからの延出部たるフラップ部１６は、補助吸収体１５の周縁１５Ｅに沿って配され、補助吸収体１５を包囲している。表面シート１３及び裏面シート１４それぞれと補助吸収体１５との間は接着剤によって接合されていても良い。
【００５２】
また、本実施形態の吸収パッドセット１０においては、補助パッド１２の端部が、主パッド１１の縦方向Ｘの一端部（横方向Ｙに沿う一側部）に接合されて、両パッド１１，１２が一体となっている。より具体的には、平面視四角形形状の補助パッド１２の輪郭をなすフラップ部１６の一端部が、主パッド１１の縦方向Ｘの両端部のうち、使用時に洗髪対象者（臥床者）の後頚部に対応する縦方向端部とは反対側の端部（使用時に洗髪対象者の頭部及び頚部と接触しない縦方向端部）に接合されてパッド接合部１７が形成され、このパッド接合部１７を介して両パッド１１，１２が一体となっている。補助パッド１２は、主パッド１１の縦方向Ｘの中央に位置している。両パッド１１，１２の接合手段としては、ホットメルト接着剤等の各種接着剤、ヒートシール、超音波シール等の公知の接合手段を用いることができる。また、両パッド１１，１２が分離可能なようにパッド接合部１７に、分離用のミシン目（図示せず）が入っていても良い。
【００５３】
主パッド１１における補助パッド１２の接合部位に関し、本実施形態においては図５〜図７に示すように、補助パッド１２は、主パッド１１における防漏カフ６の弾性伸縮部６１の自由端部６１ａに接合されている。このように、補助パッド１２が防漏カフ６の自由端部６１ａに接合されていると、図６に示す如く、補助パッド１２を主パッド１１側とは反対側にめくり上げた状態とし、吸収パッドセット１０を主パッド１１と補助パッド１２とが重ならない形態（後述する補助パッド展開形態）として洗髪に使用した場合に、補助パッド１２が接合されている防漏カフ６が該補助パッド１２によって潰されにくくなるため、該防漏カフ６の所定の起立高さが維持され、防漏カフ６に期待される防漏効果がより確実に奏されるようになる。
【００５４】
補助パッド１２は、パッド接合部１７を中心に縦方向Ｘ即ち洗髪対象者の身長方向に回動可能であり、これにより複数の使用形態を採り得る。即ち本実施形態の吸収パッドセット１０は、図５及び図６に示す如き、主パッド１１の吸収体４と補助パッド１２の補助吸収体１５とが重ならず且つ第２のシート１４が補助パッド１２の上面を形成する形態（補助パッド展開形態）を採ることもできるし、あるいは図７に示す如き、主パッド１１の吸収体４と補助パッド１２の補助吸収体１５とが重なり且つ第１のシート１３が補助パッド１２の上面を形成する形態（補助パッド収納形態）を採ることもできる。前記補助パッド収納形態から補助パッド１２をパッド接合部１７周りにめくり上げれば前記補助パッド展開形態となり、また、めくり上げた補助パッド１２をパッド接合部１７周りに主パッド１１側に回動させれば前記補助パッド収納形態となる。尚、図６及び図７では説明容易の観点から、補助パッド１２が主パッド１１の防漏カフ６によって下方から支持されて浮き上がっているように記載されているが、実際の使用時においては補助パッド１２が図示の如く浮き上がった状態で支持されるわけではなく、前記補助パッド展開形態においては通常、補助パッド１２は主パッド１１の周辺に載置され、前記補助パッド収納形態においては通常、補助パッド１２は主パッド１１の表面シート２上に直接載置される。
【００５５】
本実施形態の吸収パッドセット１０を用いて洗髪をする場合、前記の２種類の使用形態を任意に選択することができる。例えば、洗髪対象者の頭髪量が比較的多いために、洗髪に使用する湯水の量が多く、主パッド１１のみでは湯水を十分に吸収しきれないことが懸念される場合は、吸収パッドセット１０を前記補助パッド収納形態（図７参照）として、主パッド（吸収体４）上に補助パッド１２（補助吸収体１５）を重ねた状態で洗髪作業の全部又は一部を行う。また例えば、先ずは、前記補助パッド展開形態（図５及び図６参照）として主パッド１１上で洗髪を行い、次に前記補助パッド収納形態として、未使用のきれいな補助パッド１２上で仕上げの洗髪を行うことができる。
【００５６】
また前記補助パッド展開形態では、補助パッド１２は、洗髪に使用した湯水の積極的な吸収には寄与しないが、洗髪時に主パッド１１上から洗髪対象者とは反対側の外方に飛散した湯水を受け止める役割を果たし、これによって主パッド１１の周辺の濡れや汚れが効果的に防止される。このような、前記補助パッド展開形態における補助パッド１２の役割を考慮すると、斯かる形態において上面を形成する第２のシート１４としては、第１のシート１３と同様の液透過性シートを用いるという選択もあり得るし、液難透過性シートを用いることもあり得る。尚、補助パッド１２の各部材としては、主パッド１１における同様の役割を担う部材として使用可能なものを適宜用いることができる。
【００５７】
また、本実施形態の吸収パッドセット１０は、洗髪用途に十分に対応できる高い吸収性能を有しつつも、その高い吸収性能を担う吸収体が、分離可能な主パッド１１（吸収体４）と補助パッド１２（補助吸収体１５）とに分けられ、主パッド１１上に補助パッド１２を重ねる前記補助パッド展開形態を採ることが可能であるため、一枚の連続した吸収体を用いて同レベルの吸収性能を確保した形態に比して使用形態がコンパクトなものとなり得、洗髪を行うための作業スペースが狭い場合にも十分に対応できる。
【００５８】
補助パッド１２の自然状態での大きさは特に制限されないが、縦方向Ｘ即ち洗髪対象者（臥床者）の身長方向の長さは、好ましくは４００ｍｍ以上、さらに好ましくは４４０ｍｍ以上、そして、好ましくは８００ｍｍ以下、さらに好ましくは７５０ｍｍ以下であり、横方向Ｙ即ち洗髪対象者（臥床者）の左右方向の長さは、好ましくは４００ｍｍ以上、さらに好ましくは４４０ｍｍ以上、そして、好ましくは９００ｍｍ以下、さらに好ましくは８００ｍｍ以下である。
また、補助吸収体１５の縦方向Ｘの長さは、好ましくは２５０ｍｍ以上、さらに好ましくは３００ｍｍ以上、そして、好ましくは６５０ｍｍ以下、さらに好ましくは６００ｍｍ以下であり、横方向Ｙの長さは、好ましくは３００ｍｍ以上、さらに好ましくは３５０ｍｍ以上、そして、好ましくは８００ｍｍ以下、さらに好ましくは７００ｍｍ以下である。
補助吸収体１５の坪量は、好ましくは２５０ｇ／ｍ2以上、さらに好ましくは３００ｇ／ｍ2以上、そして、好ましくは９００ｇ／ｍ2以下、さらに好ましくは８００ｇ／ｍ2以下である。
主パッド１１における吸収体４の一面側の面積に対する、補助パッド１２における補助吸収体１５の一面側の面積の比率は、後者／前者として、好ましくは０．１５以上、さらに好ましくは０．２０以上、そして、好ましくは０．５０以下、さらに好ましくは０．４５以下である。
【００５９】
以上、本発明について説明したが、本発明は前述した実施形態に制限されず、本発明の趣旨を逸脱しない範囲で適宜変更可能である。例えば、本発明の洗髪用吸収パッド（本発明の洗髪用吸収パッドセットにおける主パッド）の平面視形状は、前記実施形態の吸収パッド１の如き矩形形状に制限されず、楕円形状などの異方性形状の他、正方形形状、円形状などの等方性形状でも良いが、前述した通り、洗髪対象者（臥床者）の左右方向（横方向）の長さの方がこれに直交する洗髪対象者の身長方向（縦方向）の長さよりも長い異方性形状が好ましい。また、吸収体４に一旦吸収された液が表面シート２側へ逆流する不都合を防止する観点から、表面シート２と吸収体４との間に、不織布などからなる液透過性の液逆流防止層を介在配置しても良い。
【００６０】
また、本発明の洗髪用吸収パッドセットにおいて、主パッドにおける補助パッドの接合位置は、図５に示す如き縦方向Ｘの端部（使用時に洗髪対象者の頭頂部よりも縦方向外方に配される縦方向端部）に制限されず、横方向Ｙの端部でも良い。また、主パッドと補助パッドとが一体となっている必要は無く、本発明の洗髪用吸収パッドセットには、主パッドと、これとは別体の独立した補助パッドとを具備する形態が含まれる。このような両パッドが一体となっていない形態であっても、前述した２種類の使用形態に準じた使用形態を採り得る。また、図７に示す如き前記補助パッド収納形態において、補助パッドの上面側（第１のシート側）の横方向両端部に、使用時に上方に向かって起立する一対の防漏カフが、縦方向に延びて主パッドの防漏カフと交差（直交）するように配されていても良く、この補助パッド用防漏カフは、主パッドにおけるものと同様に構成することができる。
【００６１】
図８は、本発明の洗髪用吸収パッド１のより好ましい具体的な形態であり、該洗髪用吸収パッド１の自然状態を示す（ａ）正面図及び（ｂ）右側面図である。背面図は、正面図と対称に表れる。左側面図は、右側面図と対称に表れる。図９は、図８に示す洗髪用吸収パッド１の（ａ）平面図及び（ｂ）底面図である。図１０は、図８に示す洗髪用吸収パッド１の斜視図である。
図１１（ａ）は、図８（ａ）のＡ−Ａ線断面図であり、図１１（ｂ）は図８（ａ）のＡ−Ａ線拡大断面図ある。また、図１２は、図８に示す洗髪用吸収パッド１の弾性部材６２を伸長させて、該洗髪用吸収パッド１を平面状に拡げた状態を示す（ａ）正面図、（ｂ）右側面図、及び（ｃ）平面図である。背面図は、正面図と対称に表れる。左側面図は、右側面図と対称に表れる。図１３は、図１２に示す洗髪用吸収パッドの（ａ）底面図及び（ｂ）斜視図である。洗髪用吸収パッド１は、その外観が意匠的に優れており、図８に示す洗髪用吸収パッド１を意匠登録出願に変更したときには、その出願に係る意匠は、意匠法に規定される登録要件を満たしている。
図１１〜１３は、図８に示す洗髪用吸収パッド１を意匠登録出願に変更したときの参考図となる。図４は、図８に示す洗髪用吸収パッド１の使用状態を示す参考図ともなる。
図８に示す洗髪用吸収パッド１の自然状態の全長（正面図の左右方向の長さ）は、例えば、８５ｃｍである。
【符号の説明】
【００６２】
１  洗髪用吸収パッド
２  表面シート
３  裏面シート
４  吸収体
５  吸収性本体
５Ｆ  フラップ部（吸収体の周縁からの延出部）
６  防漏カフ
６０  基壁部
６１  弾性伸縮部
６２  弾性部材
６３  弾性伸縮部固定部
７  強接合部
１０  洗髪用吸収パッドセット
１１  主パッド
１２  補助パッド
１３  第１のシート
１４  第２のシート
１５  補助吸収体
１６  フラップ部
１７  パッド接合部
Ｘ  縦方向（洗髪される臥床者の身長方向）
Ｙ  横方向（洗髪される臥床者の左右方向）
【図１】
0006453937.tif 000002
【図２】
0006453937.tif 000003
【図３】
0006453937.tif 000004
【図４】
0006453937.tif 000005
【図５】
0006453937.tif 000006
【図６】
0006453937.tif 000007
【図７】
0006453937.tif 000008
【図８】
0006453937.tif 000009
【図９】
0006453937.tif 000010
【図１０】
0006453937.tif 000011
【図１１】
0006453937.tif 000012
【図１２】
0006453937.tif 000013
【図１３】
0006453937.tif 000014